(57)【要約】【課題】部品点数を減らすことにより製造コストを安くすることができる原稿圧着板の開閉装置を提供する。【解決手段】装置本体に固定される取付部材と、該取付部材にヒンジ軸を介して回動自在に枢着される支持アームと、該支持アームの先端部に支持軸を介して回動自在に枢着されると共に、原稿圧着板を取付けるリフトアームと、上記支持アーム内に摺動自在に納められる第１スライダー６および第２スライダー７と、これら第１、２スライダー間に介挿される圧縮コイルバネと、該第１スライダーのカムフォロアが当接するカムと、上記リフトアームの前側板に当接する上記第２スライダーのカムフォロアーから構成される。【選択図】        図１
2005274853.tif 000002
【特許請求の範囲】
【請求項１】
装置本体に固定される取付部材と、該取付部材にヒンジ軸を介して回動自在に枢着される支持アームと、該支持アームの先端部に支持軸を介して回動自在に枢着されると共に、原稿圧着板を取付けるリフトアームと、上記支持アーム内に摺動自在に納められる第１スライダー６および第２スライダー７と、これら第１、２スライダー間に介挿される圧縮コイルバネと、該第１スライダーのカムフォロアが当接するカムと、上記リフトアームの前側板に当接する上記第２スライダーのカムフォロアーから構成されることを特徴とする原稿圧着板の開閉装置。
【請求項２】
上記前側板に傾斜をつけることを特徴とする請求項１に記載の原稿圧着板の開閉装置。
【発明の詳細な説明】
【技術分野】
【０００１】
本発明は、複写機等の原稿圧着板を開閉するための、原稿圧着板の開閉装置に関するものである。
【背景技術】
【０００２】
従来の原稿圧着板の開閉装置としては、図７に示すように、複写機等の装置本体Ｍに固定されている取付部材１と、該取付部材１の両側板にヒンジ軸２を介して回動自在に枢着されている支持アーム３と、該支持アーム３の先端部に支持軸４を介して回動自在に枢着されていると共に、原稿圧着板Ｐを取り付けているリフトアーム５と、上記支持アーム３内にその長手方向に摺動自在に納められている第１スライダー６および第２スライダー７と、これら第１、２スライダー６、７間に介挿されている圧縮コイルバネ８と、上記第１スライダー６の外端部に形成されたカムフォロアー６ａと、該カムフォロアー６ａが弾性的に当接するカム９と、上記リフトアーム５に取り付けられると共に、上記第２スライダー７の外端面に弾性的に当接される作動ピン１０から構成され、上記圧縮コイルバネ８により原稿圧着板Ｐを開く方向に付勢しており、本のような厚物原稿Ｇを厚着させる場合には、原稿圧着板Ｐを閉じる際に、これが厚物原稿Ｇに当接したところで、原稿圧着板Ｐを更に閉じる方向に力を加えると、上記圧縮コイルバネ８の弾発力に抗して、原稿圧着板Ｐが矢印方向（反時計方向）に反転して、厚物原稿Ｇに厚着できるようになっている。（例えば、特許文献１参照）
【０００３】
また、上述の従来技術を改良するものとして、図８に示すように、取付部材１と、ヒンジ軸２により枢着された支持アーム３と、支持軸４により枢着されたリフトアーム５と、支持アーム３内に納められた第１スライダー６および第２スライダー７と、これらスライダー６、７間の圧縮コイルバネ８と、第１スライダー６が当接するカム軸９′と、リフトアーム５に固定された作動ピン１０から構成されたものにおいて、上記リフトアーム５にＬ型溝１１を形成した部材を設け、該Ｌ型溝１１の垂直溝１１ａに上記支持軸４を摺動自在に納めると共に、水平溝１１ｂに作動ピン１０を摺動自在に納めることにより、原稿圧着板Ｐを閉じる方向に力を加えると、上記圧縮コイルバネ８の弾性力に抗して、原稿圧着板Ｐが矢印方向（反時計方向）に反転するようになっている。（例えば、特許文献２参照）
【０００４】
しかしながら、上記従来の原稿圧着板の開閉装置は、いずれもリフトアーム５の反転用に作動ピン１０を設けているため、部品コストや組立コスト等の製造コストが高い等の問題点があった。
【特許文献１】実開平６−８２６４９号公報
【特許文献２】特開２００２−３１８６３号公報
【発明の開示】
【発明が解決しようとする課題】
【０００５】
解決しようとする課題は、部品点数を減らすことにより製造コストを安くすることができる原稿圧着板の開閉装置を提供することにある。
【課題を解決するための手段】
【０００６】
本発明の原稿圧着板の開閉装置は、装置本体に固定される取付部材と、該取付部材にヒンジ軸を介して回動自在に枢着される支持アームと、該支持アームの先端部に支持軸を介して回動自在に枢着されると共に、原稿圧着板を取付けるリフトアームと、上記支持アーム内に摺動自在に納められる第１スライダー６および第２スライダー７と、これら第１、２スライダー間に介挿される圧縮コイルバネと、該第１スライダーのカムフォロアが当接するカムと、上記リフトアームの前側板に当接する上記第２スライダーのカムフォロアーから構成されることを特徴とする。また、上記前側板に傾斜をつけることを特徴とする。
【発明の効果】
【０００７】
本発明の原稿圧着板の開閉装置は、部品点数を減らすことにより製造コストを安くすることができるという利点がある。
【発明を実施するための最良の形態】
【０００８】
図１において、Ｐは原稿圧着板であって、開閉装置Ｈを介して、複写機等の装置本体Ｍに開閉自在に取り付けられている。上記開閉装置Ｈは、主として、上記装置本体Ｍに固定されている取付部材１と、該取付部材１にヒンジ軸２を介して回動自在に枢着されている支持アーム３と、該支持アーム３の先端部に支持軸４を介して回動自在に枢着されていると共に、上記原稿圧着板Ｐを取り付けているリフトアーム５から、構成されている。
【０００９】
上記支持アーム３内には第１スライダー６および第２スライダー７が長手方向に摺動自在に納められていると共に、これら第１、２スライダー６、７間には圧縮コイルバネ８が介挿されている。第１スライダー６の外端面にはカムフォロア６ａが形成されている。
【００１０】
上記該カムフォロア６ａは、上記取付部材１内に設置されているカム９に弾性的に当接している。また、上記第２スライダー７のカムフォロア７ａは、上記リフトアーム５の前側板５ａに弾性的に当接している。
【００１１】
本実施例の開閉装置は、以上のように構成されているので、上記原稿圧着板Ｐを手で持ち上げると、上記カム９と前側板５ａとの間での、圧縮コイルバネ８による第１スライダー６と第２スライダー７の弾発力により、支持アーム３およびリフトアーム５は重なった状態でヒンジ軸２を中心に時計方向に回動し、原稿圧着板Ｐを開くことができる。原稿圧着板Ｐが所定角度以上に開くと、上記圧縮コイルバネ８による時計方向の弾発力と原稿圧着板Ｐの反時計方向の重力が釣り合って、原稿圧着板Ｐから手を離しても開いた状態が保持される。（図２参照）
【００１２】
次に、図２の状態から、上記原稿圧着板Ｐを手で押し下げると、図３に示すように、該原稿圧着板Ｐの下面が厚物原稿Ｇの角に当接する。原稿圧着板Ｐを更に押し下げると、原稿圧着板Ｐおよびこれと一体となった上記リフトアーム５が、上記圧縮コイルバネ８による弾発力に抗して、支持軸４を中心に反時計方向（矢印Ｘ方向）に回動すると同時に、逆に、圧縮コイルバネ８による弾発力により、上記支持アーム３はヒンジ軸２を中心に時計方向（矢印Ｙ方向）に回動し、その結果、図４に示すように、原稿圧着板Ｐが厚物原稿Ｇに圧着する。
【００１３】
上記原稿圧着板Ｐの押し下げ力を解除すると、上記圧縮コイルバネ８による弾発力により、原稿圧着板Ｐおよびこれと一体となったリフトアーム５が支持軸４を中心に時計方向に回動して、図２に示す状態（リフトアーム５が支持アーム３に重なる状態）に復帰する。
【００１４】
図５は、上記前側板５ａに傾斜をつけるようにした別の実施例を示すもので、前側板５ａに傾斜をつけることにより、図６のように上記リフトアーム５が回転してトルクが大きくなるのを抑制してコントロールする。
【図面の簡単な説明】
【００１５】
【図１】本発明の原稿圧着板の開閉装置の一実施例の構成説明図である。
【図２】図１の装置の原稿圧着板が開いた状態の作用説明図である。
【図３】図２に続く作用説明図である。
【図４】図３に続く作用説明図である。
【図５】本発明の原稿圧着板の開閉装置の別の実施例の構成説明図である。
【図６】図５の作用説明図である。
【図７】従来の原稿圧着板の開閉装置の説明図である。
【図８】従来の別の開閉装置の説明図である。
【符号の説明】
【００１６】
１    取付部材
２    ヒンジ軸
３    支持アーム
４    支持軸
５    リフトアーム
５ａ  前側板
６    第１スライダー
６ａ  カムフォロア
７    第２スライダー
７ａ  カムフォロア
８    圧縮コイルバネ
９    カム
９ａ  カム軸
１０  作動ピン
Ｇ    厚物原稿
Ｈ    開閉装置
Ｍ    装置本体
Ｐ    原稿圧着板
Ｘ、Ｙ  矢印
【図１】
2005274853.tif 000003
【図２】
2005274853.tif 000004
【図３】
2005274853.tif 000005
【図４】
2005274853.tif 000006
【図５】
2005274853.tif 000007
【図６】
2005274853.tif 000008
【図７】
2005274853.tif 000009
【図８】
2005274853.tif 000010